(57)【要約】      （修正有）【課題】コンパクトアンテナの中には、約６８０ＭＨｚから２０ＧＨｚまでの範囲の全周波数の全てをカバーするコンパクトアンテナを提供する。【解決手段】アンテナ１００は、放射器１１０と、地板１２０と、放射器を地板に結合するように形状付けられたスタブ１３０とを有する。放射器１１０は複数のネスト型放射器１１０ａ〜１１０ｅを有する。放射器の長さ及び幅、ネスト型放射器間のギャップ、ネスト型放射器の個数並びに地板寸法及びスタブ寸法などのアンテナの物理的パラメターを調節することにより、アンテナ１００は、約６８０ＭＨｚから約２０ＧＨｚまでの範囲の周波数帯をカバーする。【選択図】図１Ａ
2017017679.tif 000002
【特許請求の範囲】
【請求項１】
放射器と、地板と、放射器を地板に結合するように形状付けられたスタブとを有するアンテナ。
【請求項２】
前記スタブが実質的に円柱形状である、請求項１に記載のアンテナ。
【請求項３】
前記放射器が単一ペンタゴン形状放射器を含む、請求項１又は２に記載のアンテナ。
【請求項４】
前記スタブが実質的に円柱形状であり、地板を放射器の外側の点に結合させる、請求項１乃至３のうちいずれか１項に記載のアンテナ。
【請求項５】
前記放射器が複数のネスト型ペンタゴン形状放射器を含む、請求項１又は２に記載のアンテナ。
【請求項６】
前記のペンタゴン形状の放射器が５個のネスト型のペンタゴン形状放射器を含む、請求項５に記載のアンテナ。
【請求項７】
前記放射器が複数のネスト型の放射器を含む。、請求項１又は２に記載のアンテナ。
【請求項８】
前記放射器が地板に対して直角に配置される、請求項１乃至７のうちいずれか１項に記載のアンテナ。
【請求項９】
前記地板は、スロット付き地板である、請求項８に記載のアンテナ。
【請求項１０】
前記放射器及び前記地板が同一平面に配置されている、請求項１乃至７のうちいずれか１項に記載のアンテナ。
【請求項１１】
前記地板が実質的に正方形形状であり、前記放射器及び前記地板が実質的に同一直径である、請求項１０に記載のアンテナ。
【請求項１２】
前記地板が実質的長方形形状であり、実質的長方形形状の地板の短辺が前記放射器の直径よりも小さい、請求項１０に記載のアンテナ。
【請求項１３】
前記地板が折り返した地板である、請求項１乃至７のうちいずれか１項に記載のアンテナ。
【請求項１４】
前記放射器、地板、又は放射器と地板との組合せがプリント回路基板（PCB）上に形成される、請求項１乃至１３のうちいずれか１項に記載のアンテナ。
【請求項１５】
当該アンテナが約680MHzから約20GHzまでの動作範囲を有する、請求項１乃至１４のうちいずれか１項に記載のアンテナ。
【請求項１６】
請求項１乃至１５のうちいずれか１項に記載のアンテナを含むワイヤレス通信デバイス。
【請求項１７】
当該ワイヤレス通信デバイスは、ワイヤレスルーター、ワイヤレスアクセスポイント及びセルラーゲートウェイから成るグループから選択される、請求項１６に記載のワイヤレス通信デバイス。
【請求項１８】
前記セルラーゲートウェイが、ピコセル、マイクロセル及びフェムトセルゲートウェイうちの少なくとも一つである、請求項１７に記載のワイヤレス通信デバイス。
【請求項１９】
前記ワイヤレスルーターがパーソナルエリアネットワーク（PAN）ルーターである、請求項１７に記載のワイヤレス通信デバイス。
【請求項２０】
当該ワイヤレス通信デバイスが、ロングタームエボルーション（LTE）、全地球位置把握システム（GPS）、ZigBee,  Wi-Fi及び超広帯域（UWB）のために動作可能である、請求項１６に記載のワイヤレス通信デバイス。
【請求項２１】
当該ワイヤレス通信デバイスが、マイクロウェーブインパルスレーダー（MIR）のために動作可能である、請求項１６に記載のワイヤレス通信デバイス。
【請求項２２】
放射器を形成するステップと、
地板を形成するステップと、
スタブを形成し、前記放射器を前記地板に結合するようにスタブを形状づけするステップと、
を含む、アンテナの形成方法。
【請求項２３】
前記のスタブを形成するステップが、実質的に円柱形状のスタブを形成するステップを含む、請求項２２に記載のアンテナの形成方法。
【請求項２４】
アンテナを同調するステップをさらに含む請求項２２又は２３に記載のアンテナの形成方法。
【発明の詳細な説明】
【技術分野】
【０００１】
本開示は、概してアンテナに関し、特に、広範な周波数をカバーするコンパクトなスーパー超広帯域アンテナに関する。
【背景技術】
【０００２】
電話、ホームオートメーション、コンピュータ周辺機器、ネットワーキング、ポイント・ツー・ポイント通信、ワイヤレスゲーム装置の技術分野その他の多様な技術分野において、ワイヤレス接続要求が増大している。
【発明の概要】
【発明が解決しようとする課題】
【０００３】
既存のコンパクトアンテナの中には、適用可能な帯域、すなわち約680MHzから20GHzまでの範囲の周波数の全てをカバーするものは存在しない。
【図面の簡単な説明】
【０００４】
【図１Ａ】ネスト型ペンタゴン形状放射器、スタブ、及び水平地板を有するアンテナを示す概略図である。
【図１Ｂ】ネスト型ペンタゴン形状放射器、スタブ、及び水平地板を有するアンテナを示す概略図である。
【図１Ｃ】ネスト型ペンタゴン形状放射器、スタブ、及び水平地板を有するアンテナを示す概略図である。
【図１Ｄ】ネスト型ペンタゴン形状放射器、スタブ、及び水平地板を有するアンテナを示す概略図である。
【図２】単一のペンタゴン形状放射器、スタブ、及び水平地板を有するアンテナを示す概略図である。
【図３】ネスト型ペンタゴン形状放射器、スタブ、及びスロット付き水平地板を有するアンテナを示す概略図である。
【図４】ネスト型ペンタゴン形状放射器、スタブ、及び鉛直地板を有するアンテナを示す概略図である。
【図５】ネスト型ペンタゴン形状放射器、スタブ、及び図4に比較して小寸法の鉛直地板を有するアンテナを示す概略図である。
【図６】ネスト型ペンタゴン形状放射器、スタブ、及び折り返した鉛直地板を有するアンテナを示す概略図である。
【図７】ワイヤレス通信デバイスを示す概略図である。
【図８】様々な半径のアンテナスタブについてのリターン損失を示すグラフである。
【図９】様々なアンテナ地板についてのリターン損失を示すグラフである。
【図１０】様々な個数のネスト型ペンタゴンのアンテナについてのリターン損失を示すグラフである。
【図１１】様々なアンテナ地板についての利得を示すグラフである。
【図１２】様々なアンテナ地板についての効率を示すグラフである。
【図１３】アンテナを形成する方法１３００を示すフローチャートである。
【発明を実施するための形態】
【０００５】
本開示は、コンパクトなスーパー超広帯域アンテナに向けられたものであり、当該アンテナは、放射器（radiator）、スタブ（stub）及び地板（ground  plane）を有する。当該アンテナは、約680MHz〜約20GHzの範囲内のスーパー超広周波数帯域をカバーする。当該アンテナの低い方の動作周波数及び高い方の動作周波数は、アンテナの物理パラメターを調節することにより、変化させることができる。物理パラメターとしては、放射器アームの長さ及び幅、ペンタゴン（五角形（pentagon））間のギャップ、ペンタゴンの個数、地板寸法、並びにスタブ寸法などがある。
【０００６】
図１Ａ〜１Ｄは、本実施形態特徴に従ったアンテナ１００を示す概略図である。
【０００７】
図１Ａはアンテナ１００を示す斜視概略図１００Ａであり、図１Ｂはアンテナ１００の変形図を示す概略図１００Ｂである。
【０００８】
アンテナ１００は、放射器１１０，地板１２０及びスタブ１３０を有する。図示されている放射器１１０は、複数のネスト型（nested）ペンタゴン形状放射器１１０ａ、１１０ｂ、１１０ｃ、１１０ｄ、１１０ｅを有するペンタゴン形状放射器である。五個のネスト型ペンタゴン形状放射器が図示されているが、意図した目的に適する如何なる個数の放射器でもよい。また、放射器１１０は、実質的にペンタゴン形状として示されているが、意図した目的に適した実質的に方形、長方形、円形、六角形その他の形状であってよい。放射器１１０は、意図した目的に適した、銅、アルミニウムその他の金属を含む。さらに、放射器１１０は、プリント回路基板（Printed  Circuit  Board  (PCB)）上に形成してもよい。
【０００９】
地板１２０は、実質的に方形形状である。変形的には、地板は、意図した目的に適した実質的に長方形その他の如何なる形状であってよい。地板１２０は、アンテナ寸法を減少させ応用範囲を増大させるように修正してもよい。図示した地板１２０は水平の地板であり、放射器１１０は、鉛直の放射器である。言い換えれば、地板１２０は、放射器１１０に対して直角に位置づけられている。また、地板１２０は、意図した目的に適した、銅、アルミニウムその他の金属を含む。さらに、地板１２０は、プリント回路基板上に形成してもよい。
【００１０】
スタブ１３０は、放射器１１０を地板１２０に結合させるようになっている。スタブ１３０のインピーダンスは、放射器１１０の各々及び地板１２０に整合し、電力伝達を最大化し、信号反射を最小化する。また、スタブ１３０は、意図した目的に適した、銅、アルミニウムその他の金属を含む。さらに、スタブ１３０は、プリント回路基板上に形成してもよい。
【００１１】
図１Ｃは、ネスト型ペンタゴン形状放射器１１０の寸法を示す概略図１００Ｃである。ネスト型ペンタゴン形状放射器１１０の外側のペンタゴン１１０ｅは、約１００mm  x  約１００mmの寸法を有する。放射器１１０の寸法は、これに限定されず、意図した目的に適した如何なる寸法であってよい。
【００１２】
図１Ｄは、スタブ１３０に焦点をあてたアンテナ１００の部分的図示概略図１１０Ｄである。スタブ１３０は、円柱形状であり、約３mmの直径、約３mmの高さの寸法を有する。スタブ１３０の形状及び寸法は、これらに限定されずに、意図した目的に適する如何なる形状及び寸法であってよい。
【００１３】
アンテナ１００は、約680MHz〜約20GHzの周波数動作範囲を有してよい。アンテナ１００の低い方の動作周波数及び高い方の動作周波数は、アンテナ１００の物理パラメターを調節することにより、変化させることができる。物理パラメターとしては、放射器１１０の長さ及び幅、放射器のネスト型ペンタゴン間のギャップ、ペンタゴンの個数、地板１２０の寸法、並びにスタブ１３０の寸法などがある。
【００１４】
図２は、ペンタゴン形状放射器２１０，地板２２０及びスタブ２３０を有するアンテナ２００を示す概略図である。
【００１５】
アンテナ２００は、図１Ａ〜Ｄのアンテナ１００に類似しているが、放射器２１０が、複数のネスト型ペンタゴンではなくて、単一のペンタゴンである点が異なる。
【００１６】
図３は、ネスト型ペンタゴン形状放射器３１０，地板３２０及びスタブ３３０を有するアンテナ３００を示す概略図である。
【００１７】
アンテナ３００は、図１Ａ〜Ｄのアンテナ１００に類似しているが、地板３２０が、スロット付き地板である点が異なる。地板３２０は、２つのスロット３２４−１、３２４−２を有し、地板３２０を第１セクション３２２−１及び第２セクション３２２−２に分けている。地板３２０は、意図した目的に適した方形、長方形その他の如何なる形状であってよい。また、地板３２０は、意図した目的に適した如何なる個数のスロット３２４を有してもよい。放射器３１０は、ネスト型ペンタゴンとして示したが、放射器３１０は、変形的には単一のペンタゴンであってもよく、如何なる個数のネスト型ペンタゴンであってもよい。
【００１８】
図４は、放射器４１０、地板４２０及びスタブ４３０を有するアンテナ４００を示す概略図である。
【００１９】
アンテナ４００は、図１Ａ〜Ｄのアンテナ１００に類似しているが、地板４２０が鉛直地板である点が異なる。言い換えれば、放射器４１０及び地板４２０は同一平面にある。放射器４１０は、複数のネスト型ペンタゴンとして図示したが、放射器４１０は、変形的に単一ペンタゴンであってもよく、如何なる個数のペンタゴンを有してもよい。また、地板４２０及び放射器４１０は、実質的に同一の直径を有するものとして図示した。
【００２０】
図５は、放射器５１０、地板５２０及びスタブ５３０を有するアンテナ５００を示す概略図である。
【００２１】
アンテナ５００は、図４のアンテナ４００に類似しているが、地板５２０が、図４の地板４２０に比較して寸法が減少されている点が異なる。地板５２０は長方形状であり、長方形地板５２０の短辺側が、放射器５１０の直径よりも短い長さを有している。変形的には、地板５２０は、側辺側が、放射器５１０の直径よりも長い長さを有する、実質的に長方形状であってもよい。
【００２２】
図６は、放射器６１０、地板６２０及びスタブ６３０を有するアンテナ６００を示す概略図である。
【００２３】
アンテナ６００は、図５のアンテナ５００と同様であるが、地板６２０が二重地板６２０である点が異なる。地板６２０は、平坦プレートを形成して、該プレートを半分に折ることで作ることができる。放射器６１０は、複数のネスト型ペンタゴンを有するものとして図示されているが、変形的に単一のペンタゴンを有してもよく、如何なる個数のネスト型ペンタゴンを有してもよい。
【００２４】
放射器は、各実施形態において、実質的にペンタゴン形状であるものとして示しているが、実質的に正方形、長方形、円形、六角形又は意図した目的に適した他の如何なる形状でもよい。
【００２５】
図７は、ワイヤレス通信デバイス７００を示す概略図である。ワイヤレス通信デバイス７００は、それぞれ図１、２、３、４、５及び６に示したアンテナ１００、２００、３００、４００、５００及び６００のいずれであってもよいアンテナ７１０を有する。
【００２６】
ワイヤレス通信デバイス７００は、多数の応用を有している。例えば、ワイヤレス通信デバイス７００は、ピコセル、マイクロセル、フェムトセル、セルラーゲートウェイ、ロングタームエボルーション（LTE）ネットワークアクセスポイント、全帯域屋内カバレッジソルーション、全地球位置把握システム（GPS）トラッキング、Wi-Fi  ルーター、ZigBee,  ワイヤレスローカルエリアネットワーク（WLAN）、ワイドエリアネットワーク（WAN）、パーソナルエリアネットワーク（PAN）、及び／又はセルラー、Wi-Fi、ZigBee及び超広帯域（UWB）ネットワークを使用したホームオートメーションのために使用できる。当該アンテナは、ワイヤレスドケッティングシステム及びワイヤレスユニバーサルシリアルバス（USB）などのアドバンストUWBシステムと共に使用することもできる。また、当該アンテナは、GPS及びセルラー無線への接続性を有する、地雷検出及び認識のためのマイクロウェーブインパルスレーダー（MIR）に用いることができる。
【００２７】
さらに、当該アンテナは、屋内カバレッジソルーションの一部として天井取付用に用いるための、またルーターの一部としてテーブル取付用に用いるための柔軟性を有する。
【００２８】
当該アンテナは、20GHzまでの無線周波機器の較正、開発及び試験のための標準アンテナとして用いることもできる。当該アンテナは、また、無線通信（Over  The  Air  (OTA)）、特定吸収率（Specific  Absorption  Rate  (SAR)）、電磁インターフェース（Electromagnetic  Interference  (EMI)）／無線放射（Radiation  Emissions  (RE)）／輻射スプリアス放射（Radiated  Spurious  Emissions  (RSE)）試験のための試験装置の間の通信を確立するのに用いることもできる。
【００２９】
図８は、様々な半径のアンテナスタブについてのリターン損失（return  loss）を示すグラフ８００である。より詳細には、グラフ８００は、それぞれ半径が0.5mm,  1mm,  1.5mm,  及び2mmのスタブを有するアンテナのリターン損失対周波数を示している。スタブ寸法は、スーパー超広帯域を達成するのに重要であり、特に高い周波において重要である。
【００３０】
図９は、様々なアンテナ地板についてのリターン損失（return  loss）を示すグラフ９００である。より詳細には、グラフ９００は、様々な地板を伴うネスト型ペンタゴン放射器を有するアンテナのリターン損失対周波数を示している。地板は、水平地板１２０（図１B）、スロット付きの地板３２０（図３）、約１００mmの鉛直地板４２０（図４）、約５０mmの鉛直地板５２０（図５）、及び折り返した地板６２０（図６）を含む。地板の修正がアンテナの周波数帯域に及ぼす影響は無視できることが図から分かる。結果として、当該アンテナは、異なるアンテナ形状及び寸法を要求する異なる応用に適している。
【００３１】
図１０は、多数の、様々な個数のネスト型ペンタゴンアンテナ放射器についてのリターン損失（return  loss）を示すグラフ１０００である。より詳細には、グラフ１０００は、それぞれ、５個のネスト型ペンタゴン、４個のネスト型ペンタゴン、３個のネスト型ペンタゴン、２個のネスト型ペンタゴン及び単一のペンタゴンを有するネスト型ペンタゴン放射器についてのリターン損失対周波数を示している。図から分かるように、ペンタゴンの個数が増えるにつれて、アンテナのリターン損失が改善しており、特に周波数レンジの低い端部において改善している。
【００３２】
図１１は、様々なアンテナの利得（gain）を示すグラフ１１００である。より詳細には、水平地板１２０（図１B）、スロット付きの地板３２０（図３）、約１００mmの鉛直地板４２０（図４）、折り返した地板６２０（図６）及び単一のペンタゴン放射器２１０（図２）を含む様々なアンテナ形状についての最大利得対周波数を示している。
【００３３】
図１２は、様々なアンテナ地板の効率を示すグラフ１２００である。より詳細には、グラフ１２００は、様々な地板を有するアンテナについての、アンテナ効率対周波数を示している。地板は、水平地板１２０（図１B）、スロット付きの地板３２０（図３）、約１００mmの鉛直地板４２０（図４）、約５０mmの鉛直地板５２０（図５）、及び折り返した地板６２０（図６）を含む。
【００３４】
図１３は、アンテナ１００、２００、３００、４００、５００、６００を形成する方法１３００を示すフローチャートである。
【００３５】
ステップ１３１０において、放射器１１０、２１０、３１０、４１０、５１０、６１０が形成される。
【００３６】
ステップ１３２０において、地板１２０、２２０、３２０、４２０、５２０、６２０が形成される。
【００３７】
ステップ１３３０において、スタブ１３０、２３０、３３０、４３０、５３０、６３０が形成され、放射器１１０、２１０、３１０、４１０、５１０、６１０を地板１２０、２２０、３２０、４２０、５２０、６２０にそれぞれ結合するように形状づけられる。
【００３８】
ステップ１３４０において、アンテナ１００、２００、３００、４００、５００、６００が同調される（tuned）。アンテナ１００、２００、３００、４００、５００、６００は、既知のプロセスにより同調することができる。
【００３９】
多くの既知のコンパクト超広帯域（UWB）アンテナは、超広帯域IEEE周波数帯域である約3.1GHzから約10.6GHzの応用に焦点を当てるように、約2GHz又はそれ以上の動作周波数を有する。本明細書で開示するアンテナは、高周波性能を犠牲にすることなく、約680  MHz  から動作するスーパー超広帯域アンテナであるという利点がある。当該アンテナは、小さな形状ファクター（a  small  form  factor）で、約0.68GHzから約20GHzまでのスーパー超広帯域をカバーする。当該アンテナは、2G,  3G,  LTE,  GPS,  Wi-Fi,  UWB  その他の20GHzまで動作する方式などの多数のワイヤレス技術を支持するデバイスに適している。
【００４０】
また、既知のアンテナは、寸法の変更ができず、応用を制限してしまう。本明細書で開示したアンテナは、水平、スロット付き水平、鉛直、寸法を減少させた鉛直又は折り返した形状などの様々な地板形状を有することができ、よってアンテナの形状及び寸法を変更でき、応用の可能性を増大する。
【００４１】
以下に、本発明に従ったアンテナの例を示す。
【００４２】
例１は、放射器と、地板と、放射器を地板に結合するように形状付けられたスタブとを有するアンテナである。
【００４３】
例１のアンテナにおいて、例２では、スタブが実質的に円柱形状である。
【００４４】
例１のアンテナにおいて、例３では、放射器が単一ペンタゴン形状放射器を含む。
【００４５】
例３のアンテナにおいて、例４では、スタブが実質的に円柱形状であり、地板を放射器の外側の点に結合させる。
【００４６】
例１のアンテナにおいて、例５では、放射器が複数のネスト型のペンタゴン形状放射器を含む。
【００４７】
例５のアンテナにおいて、例６では、実質的にペンタゴン形状の放射器が５個のネスト型のペンタゴン形状放射器を含む。
【００４８】
例１のアンテナにおいて、例７では、放射器が複数のネスト型の放射器を含む。
【００４９】
例１のアンテナにおいて、例８では、放射器が地板に対して直角に配置される。
【００５０】
例８のアンテナにおいて、例９では、地板は、スロット付き地板である。
【００５１】
例１のアンテナにおいて、例１０では、放射器及び地板が同一平面に配置されている。
【００５２】
例１０のアンテナにおいて、例１１では、地板が実質的に正方形形状であり、放射器及び地板が実質的に同一直径である。
【００５３】
例１０のアンテナにおいて、例１２では、地板が長方形形状であり、実質的長方形形状地板の短辺が放射器の直径よりも小さい。
【００５４】
例１のアンテナにおいて、例１３では、地板は、折り返した地板である。
【００５５】
例１のアンテナにおいて、例１４では、放射器、地板、又は放射器と地板との組合せがプリント回路基板（PCB）上に形成される。
【００５６】
例１のアンテナにおいて、例１５では、当該アンテナが約680MHz  から約20GHz  までの動作範囲を有する。
【００５７】
例１６は、例１のアンテナを含むワイヤレス通信デバイスである。
【００５８】
例１６のワイヤレス通信デバイスにおいて、例１７では、当該ワイヤレス通信デバイスは、ワイヤレスルーター、ワイヤレスアクセスポイント及びセルラーゲートウェイから成るグループから選択される。
【００５９】
例１７のワイヤレス通信デバイスにおいて、例１８では、セルラーゲートウェイが、ピコセル、マイクロセル及びフェムトセルゲートウェイうちの少なくとも一つである。
【００６０】
例１７のワイヤレス通信デバイスにおいて、例１９では、ワイヤレスルーターがパーソナルエリアネットワーク（PAN）ルーターである。
【００６１】
例１６のワイヤレス通信デバイスにおいて、例２０では、当該ワイヤレス通信デバイスが、ロングタームエボルーション（LTE）、全地球位置把握システム（GPS）、ZigBee,  Wi-Fi及び超広帯域（UWB）のために動作可能である。
【００６２】
例１６のワイヤレス通信デバイスにおいて、例２１では、当該ワイヤレス通信デバイスが、マイクロウェーブインパルスレーダー（MIR）のために動作可能である。
【００６３】
例２２は、放射器を形成するステップと、地板を形成するステップと、スタブを形成するステップと、放射器を地板に結合するようにスタブを形状づけするステップとを含む、アンテナの形成方法である。
【００６４】
例２２の方法において、例２３では、スタブを形成するステップが、実質的に円柱形状のスタブを形成するステップを含む。
【００６５】
例２２の方法において、例２４では、アンテナを同調するステップをさらに含む。
【００６６】
例１又は２のうち一例のアンテナにおいて、例２５では、放射器は単一のペンタゴン形状放射器を含む。
【００６７】
例１乃至３のうちいずれか一例のアンテナにおいて、例２５では、放射器は単一のペンタゴン形状放射器を含む。
【００６８】
例１乃至３のうちいずれか一例のアンテナにおいて、例２６では、スタブは、実質的に円柱形状であり、地板を放射器の外側の点に結合する。
【００６９】
例１又は２のうちいずれか一例のアンテナにおいて、例２７では、放射器は、複数のネスト型ペンタゴン形状放射器を含む。
【００７０】
例１又は２のうちいずれか一例のアンテナにおいて、例２８では、放射器は、複数のネスト型放射器を含む。
【００７１】
例１乃至７のうちいずれか一例のアンテナにおいて、例２９では、放射器は、地板に対して直角に位置される。
【００７２】
例１乃至７のうちいずれか一例のアンテナにおいて、例３０では、放射器及び地板は、同一平面に配置される。
【００７３】
例１乃至７のうちいずれか一例のアンテナにおいて、例３１では、地板は、折り返した地板である。
【００７４】
例１乃至１３のうちいずれか一例のアンテナにおいて、例３２では、放射器、地板、又は放射器と地板との組合せは、プリント回路基板（PCB）上に形成される。
【００７５】
例１乃至１４のうちいずれか一例のアンテナにおいて、例３３では、当該アンテナが約680MHzから約20GHzまでの動作範囲を有する。
【００７６】
例３４は、例１乃至１５のうちいずれか一例のアンテナを含むワイヤレス通信デバイスである。
【００７７】
例２２又は２３のうちの何れかの方法において、例３５では、アンテナを同調するステップをさらに含む。
【００７８】
例３６は、実質的に図示し説明したような装置である。
【００７９】
例３７は、実質的に図示し説明したような方法である。
【００８０】
実施形態特徴とともに上述して来たけれども、「実施形態」の語は、最良又は最適のものというより、単に例を意味するものである。したがって、本開示は、本開示範囲内に含まれうる変形、修正及び均等物をカバーすることを意図している。
【００８１】
本明細書において特定の特徴を図示、説明してきたけれども、本出願の範囲から逸脱せずに、図示、説明した特定の特徴に代わり、多様な変形及び／均等物実施化が可能であることが当業者によって理解されよう。本出願は、本明細書で議論した特定の特徴の応用又は変形をカバーすることを意図している。
【図１Ａ】
2017017679.tif 000003
【図１Ｂ】
2017017679.tif 000004
【図１Ｃ】
2017017679.tif 000005
【図１Ｄ】
2017017679.tif 000006
【図２】
2017017679.tif 000007
【図３】
2017017679.tif 000008
【図４】
2017017679.tif 000009
【図５】
2017017679.tif 000010
【図６】
2017017679.tif 000011
【図７】
2017017679.tif 000012
【図８】
2017017679.tif 000013
【図９】
2017017679.tif 000014
【図１０】
2017017679.tif 000015
【図１１】
2017017679.tif 000016
【図１２】
2017017679.tif 000017
【図１３】
2017017679.tif 000018
【外国語明細書】
2017017679000001.pdf